(57)【要約】本発明は、椎間板の治療や保護のために用いられるベルトタイプの蛇腹バンドに係り、特に、収縮・膨張のためのゴムチューブを使用せずに、空気の注入による収縮・膨張を可能にしたものである。
2006513816.tif 000002
【特許請求の範囲】
【請求項１】
重畳される接着シートの外郭枠を接着すると同時に、内側面に一定の規則性で通気路を有する接着ラインを形成し、前記他の接着ラインはそれぞれの通孔を形成し、その間には内空間を形成し、前記確保された内空間の上下には弾性バンド（６）が連結された連結接着バンド（５）が、弾性バンドが伸ばされた状態で外郭ラインによって接着されることを特徴とする、蛇腹バンドの製造方法。
【請求項２】
前記連結接着バンド（５）を外郭ライン（１ａ）に接着する場合、弾性バンド（６）と連結接着バンド（５）とが連結された境界部（３）を高周波金型の加圧手段（７）で一次的に加圧固定した後、連結接着バンドを接着面と接着した後、冷却手段によって冷却することを特徴とする、請求項１記載の蛇腹バンドの製造方法。
【請求項３】
前記加圧手段（７）が、弾性体でなり、高周波作動金型（８）に直接装着することを特徴とする、請求項１記載の蛇腹バンドの製造方法。
【請求項４】
前記通孔が、対応の通孔と交互に形成されることを特徴とする請求項１記載の蛇腹バンドの製造方法。
【請求項５】
連結接着バンドが、高周波金型の装着金型の連結部に引っかけられ、弾性バンドが伸ばされた状態が維持されるようにすることを特徴とする、請求項２記載の蛇腹バンドの製造方法。
【請求項６】
前記連結バンドが、帯でなったものをバンドタイプの弾性バンドに取り付けた後、先端を接着してバンドタイプにしたことを特徴とする請求項２記載の蛇腹バンドの製造方法。
【請求項７】
蛇腹バンドの内側面の上・下部には、圧迫分散のための保護パッド羽（１６）が枠端（１５）によって縫着されることを特徴とする蛇腹バンド。
【請求項８】
前記枠端の一側を長く延長して保護パッド羽として具現することを特徴とする、請求項７記載の蛇腹バンド。
【請求項９】
保護パッド羽（１６）は固定部材（１７）によってバンドの内側面に固定されることを特徴とする、請求項７または８記載の蛇腹バンド。
【請求項１０】
前記保護パッド羽（１６）には血行補助体（１９）が形成されることを特徴とする、請求項７または８記載の蛇腹バンド。
【請求項１１】
蛇腹バンドの上端面に、空気の注入時に膨張される部分への空間確保のための切開部（１）を形成し、該切開部（１）の上側端を枠端（２）に引き寄せられるように縫着して余白を具現することを特徴とする蛇腹バンド。
【発明の詳細な説明】
【技術分野】
【０００１】
本発明は、腰が圧迫されるように締め付けられた蛇腹バンドが空気注入によって上下に伸ばされ、腰椎と腰椎との間が伸長されるようにし、椎間板の治療や保護を可能にした蛇腹バンドに係り、特に、蛇腹バンドを伸ばすために使用される空気膨張管を別途のゴムチューブなどを使用せずに蛇腹バンドを具現したものである。
【背景技術】
【０００２】
従来、蛇腹バンドを可能にするための構造は、一定の上下の幅を有するバンド１００の内部に上下の幅とほぼ一致するように膨張される空気膨張管１１０を、縫製手段を利用してバンド１００に固定させた後、空気膨張管１１０の空気を除去することで、バンドが蛇腹バンドの形に変形されるように製造されていた。
【０００３】
このようなものとして、本願出願人が先に登録した韓国特許登録第１４２２０２号では、直立したそれぞれの空気膨張管１１０を膨張しない連結付属１２０にそれぞれ一方向に直立するように結合させた後、空気膨張管１１０を膨張させた状態で、空気膨張管１１０のみを別途のポケット１３０に収容し、前記ポケット１３０を空気膨張管１１０の膨張される程度の幅を有するバンド１００と縫製手段で結合させた後、空気膨張管１１０の空気を除去することで、蛇腹バンドへの具現を可能にさせたものがあった（特許文献１）。しかしながら、このようなものの短所は、連結付属１２０が多くなることであり、かかる連結付属１２０にそれぞれ連結される空気膨張管１１０の結合が全て加圧バンド１４０による手作業でなされるという点を考慮すれば、これらの多くの連結付属１２０は、強い空気圧で膨張される場合に、これらの連結付属１２０と空気膨張管１１０とが連結される部分の破れや、同じ加圧力で締め付けることができないため、空気が漏れるといった問題点が生じていた。
【０００４】
しがたって、最近は、かかる問題点を解決するために、韓国特許登録第２９８３２８号では、一つの空気膨張管２１０をジグザグ状に形成して一定の幅を有するバンド２００の内部に位置するようにした後、空気の注入によって空気膨張管２１０が膨張された状態で、縫製手段でバンド２００に逢着させることで、上記問題点を解決しようとするものがある（特許文献２）。
【０００５】
しかし、これらの短所として、一つの空気膨張管２１０をジグザグ状に形成する場合、上下において生じる屈曲部２２０が密に形成される場合に、上下の屈曲部２２０が折り曲げられ、その折り曲げによって空気の注入が不可能になるという短所と、このような折り曲げを防止するために、屈曲される間隔を大きく形成する場合は、強い力が得られないので、所望の効果を得ることができないという短所とがある。
【０００６】
また、このような別途の空気膨張管２１０がバンドに内臓されるので、腰に着用するときに空気膨張管２１０が膨張された状態では異物質感を感じるようになり、また、膨張される場合、蛇腹バンド２００の中央部分の幅が両側端の幅より広いため、中央部分が伸ばされる場合、相対的に幅の狭い両側端において引っ張りが発生し、中央部分が後ろに反らされるので、着用感が悪くなるという短所がある。
【特許文献１】韓国特許登録第１４２２０２号
【特許文献２】韓国特許登録第２９８３２８号
【発明の開示】
【０００７】
したがって、本発明は、別途の空気膨張管を使用せずに、重畳シートに接着による接着ラインを形成してその内部に膨張空間を形成し、前記膨張空間の上下に弾性手段が伸ばされた状態で接着ラインが形成され、同時に接着することで、蛇腹バンドへの具現を可能にし、また、接着時に弾性手段が伸ばされた状態で接着されることで、このような伸びによる弾性力によって、弾性手段の接着力が低下することを防止するための手段を提供できるようになる。また、蛇腹バンドを腰に密着するように締め付けられるようにするための手段と、長時間着用した状態においても、腰の特定部位への圧迫を最小化にするためのものである。
【０００８】
（図面の簡単な説明）
図１は、弾性バンドに連結接着バンドの結合を示す一実施例の斜視図である。
図２Ａは、連結接着バンドが装着金型に装着された状態を示す斜視図である。
図２Ｂは、連結接着バンドが接着された状態を示す斜視図である。
図３は、高周波金型の作動金型の構造を示す斜視図である。
図４は、本発明の製作状態を示す使用状態図である。
図５は、高周波金型の加圧手段が加圧される前の状態を示す断面図である。
図６は、高周波金型が加圧された状態を示す断面図である。
図７Ａは、蛇腹バンドの膨張した状態を示す平面図である。
図７Ｂは、連結接着バンドの接着された状態を示す平面図である。
図８は、蛇腹バンドにしわが寄った状態を示す平面図である。
図９は、切開部の形成状態を示す斜視図である。
図１０は、余白を具現した状態を示す斜視図である。
図１１は、余白の作用状態を示す状態図である。
図１２は、保護バンドの具現を表した一実施例を示す斜視図である。
図１３は、保護バンドの他の実施例を示す斜視図である。
図１４は、従来の蛇腹バンドの具現を示す概略図である。
図１５は、従来の改善された蛇腹バンドの具現を示す概略図である。
【発明を実施するための最良の形態】
【０００９】
以下に、添付図面を参照して本発明の最も好ましい一実施例を詳細に説明する。各図面を説明するに際し、同じ構成要素に限っては、たとえ他の図面上に示されたとしても可能な限り、同じ参照符号が付される。
【００１０】
図７に示すように、重畳される接着シート１の外郭枠１ａを接着すると同時に、内側面に一定の規則性を有しながら一方の接着ライン１２を形成することで通気路２を確保し、他方の接着ライン１２ａによって、等分されるように確保される内空間４の上下に、弾性バンド６が連結された連結接着バンド５が外郭ライン１ａによって接着される構成である。
【００１１】
この際、内空間４を区切る接着ライン１２ａは、一定の幅にて接着されないことにより通孔１０が形成され、該通孔１０の形成は、図３に示すように、高周波作動金型８における切開溝１１によって形成することができる。
【００１２】
また、該通孔１０は隣接する通孔と交互に形成されることで、空気が内空間４に注入される場合に、完全かつ均一な膨張がほぼ同時に行われるようになる。
【００１３】
また、連結接着バンド５を外郭ライン１ａに接着する場合、図１および図２に示すように、弾性バンド６と連結接着バンド５とが連結された境界部３を、高周波作動金型８に形成された加圧手段７によって一次的に加圧するようにする。
【００１４】
その後、連結接着バンド５を外郭ライン１ａに沿って区分されるように、または同時に接着すれば、高周波作動金型８に装着された加圧手段７が、弾性バンド６の引っ張り状態が維持される境界部３を優先的に加圧しつつ押圧し、外郭ライン１ａと接着される連結接着バンド５には弾性バンドの引っ張り力が伝達されなくなり、連結接着バンド５が溶融し柔軟になって外郭ライン１ａと接着される場合であっても、全く負荷を受けないようになり、接着が容易に行われ、かかる接着の完了後は、自然冷却や強制冷却手段によって冷却が完了するので、接着時に溶融によって柔軟になった連結接着バンド５が元来の状態に戻るので、全く損傷が生じない。
【００１５】
この際、高周波作動金型８は、機械的な作動（図示せず）によって上下作動するものであり、弾性バンド６と連結された連結接着バンド５が装着された装着金型９は、高周波作動金型８と係合することで、装着金型９に装着された重畳されたシート１を接着し、枠ライン１ａと接着ライン１２ａとは勿論、連結接着バンド５を外郭ライン１ａと同時に接着させる。
【００１６】
その後、図２に示すように、高周波装着金型９に装着された連結接着バンド５を連結部１３から除去すれば、弾性バンド６によって重畳されたシート１にしわが寄ることとなる。
【００１７】
したがって、高周波接着によっても連結接着バンド５が損傷のない状態であるので、内空間４の反復的な膨張および収縮による弾性バンドの膨張および収縮によっても蛇腹バンドの損傷が全く見られないようになる。
【００１８】
また、蛇腹バンドの形状が、中央部は両側端より相対的に幅が広く形成されることで、また、上端辺は切開部１４を形成した後、前記切開部１４の上側端を別途の枠端１５で巻いて縫着して固定することにより、伸ばされる場合に上端辺が後ろに反らされるような現像を防止する。
【００１９】
この際、可能であれば、前記切開部１４は上端辺をＵ字型に切開した後、切開部１の上側端が引き寄せられるようにし、枠端１５で縫着して余白１８を有するようにする。
【００２０】
このような縫着は、蛇腹バンドが上下に伸ばされる場合に、蛇腹バンドの中央部が両側端より相対的に広い幅を有することにより、蛇腹バンドにおける伸ばされる部分が相対的に多くて弾性バンドの伸長が多くなって、相対的に伸ばされる部分の少ない両側端で引っ張りが生じて後ろに反らされるような力が発生する場合に、かかる切開部１４によって生じた余白１８によって後ろに反らされるようなことを防止するのである。
【００２１】
また、バンドの枠端１５に縫着する前に、バンドの内側面には保護パッド羽１６を備え、前記保護パッド羽１６はバンドの上・下端辺が覆われるように形成される別途の枠端１５によって縫着されたり、かかる枠端１５の一側を長く形成して保護パッド羽１６ａを形成することにより、簡便な製造が可能となる。
【００２２】
また、かかる保護パッド羽１６、１６ａにはリベットなどの固定部材１７でバンドの内側面に固定することにより、はためくようなことが防止される。
【００２３】
また、前記保護パッド羽１６、１６ａには磁石や遠赤外線の放射効果のある玉、ゲルマニウムなどの血液循環効果を提供できる血行補助体１９を形成することができる。
【００２４】
したがって、蛇腹バンドには別途の空気膨張管が使用されてないことから、膨張される内空間の間隔を離隔距離が殆どない程度にぎっしりと形成することが可能となり、重畳される接着シート１の接着ライン１２ａによって形成される中空間４の中心に弾性バンド６が伸ばされた状態で接着される場合も、連結接着バンド５の接着過程のために伸ばされる場合に弾性力を受ける部分、すなわち境界部３を高周波作動金型８の加圧手段７が押圧して固定した後、溶融によって接着し、冷却過程を経ることにより、製品に全く欠陥がなくなる。
【００２５】
また、蛇腹バンドの形状が、中央部が両側端より相対的に膨らむように形成されることで、空気注入によってバンドが上下に伸ばされる場合、上下端辺が後ろに反らされるような現像も切開部１４による枠端１５の固定で生じる余白１８によって発生しなくなり、長時間着用する場合も、保護パッド羽１６によって異物質感が全く感じられないようになる。
【図面の簡単な説明】
【００２６】
【図１】弾性バンドに連結接着バンドの結合を示す一実施例の斜視図である。
【図２Ａ】連結接着バンドが装着金型に装着された状態を示す斜視図である。
【図２Ｂ】連結接着バンドが接着された状態を示す斜視図である。
【図３】高周波金型の作動金型の構造を示す斜視図である。
【図４】本発明の製作状態を示す使用状態図である。
【図５】高周波金型の加圧手段が加圧される前の状態を示す断面図である。
【図６】高周波金型が加圧された状態を示す断面図である。
【図７Ａ】蛇腹バンドの膨張した状態を示す平面図である。
【図７Ｂ】連結接着バンドの接着された状態を示す平面図である。
【図８】蛇腹バンドにしわが寄った状態を示す平面図である。
【図９】切開部の形成状態を示す斜視図である。
【図１０】余白を具現した状態を示す斜視図である。
【図１１】余白の作用状態を示す状態図である。
【図１２】保護バンドの具現を表した一実施例を示す斜視図である。
【図１３】保護バンドの他の実施例を示す斜視図である。
【図１４】従来の蛇腹バンドの具現を示す概略図である。
【図１５】従来の改善された蛇腹バンドの具現を示す概略図である。
【符号の説明】
【００２７】
１  接着シート
１ａ  外郭ライン
２  通気路
３  境界部
４  中空間
５  連結接着バンド
６  弾性バンド
７  加圧手段
８  高周波作動金型
９  装着金型
１０  通孔
１１  切開溝
１２  接着ライン
１２ａ  接着ライン
１３  連結部
１４  切開部
１５  枠端
１６  保護パッド羽
１６ａ  保護パッド羽
１７  固定部材
１８  余白
１９  血行補助体
１００  バンド
１１０  空気膨張管
１２０  連結付属
１３０  ポケット
１４０  加圧バンド
２００  バンド
２１０  空気膨張管
２２０  屈曲部
【図１】
2006513816.tif 000003
【図２Ａ】
2006513816.tif 000004
【図２Ｂ】
2006513816.tif 000005
【図３】
2006513816.tif 000006
【図４】
2006513816.tif 000007
【図５】
2006513816.tif 000008
【図６】
2006513816.tif 000009
【図７Ａ】
2006513816.tif 000010
【図７Ｂ】
2006513816.tif 000011
【図８】
2006513816.tif 000012
【図９】
2006513816.tif 000013
【図１０】
2006513816.tif 000014
【図１１】
2006513816.tif 000015
【図１２】
2006513816.tif 000016
【図１３】
2006513816.tif 000017
【図１４】
2006513816.tif 000018
【図１５】
2006513816.tif 000019
【国際調査報告】
2006513816.tif 000020
2006513816.tif 000021
2006513816.tif 000022
2006513816.tif 000023